(57)【特許請求の範囲】
【請求項１】
原稿用紙から読み取った画像を記録用紙に複写する際、主となる標準色よりも多くの色数を保有した多色材を用い、標準色よりも多くの色数で画像形成処理を行う多色表現方式、および標準色によって画像形成処理を行う標準表現方式での複写が可能とされた画像複写装置であって、
上記原稿用紙の１枚から読み取った画像について、上記記録用紙の１枚に対して複写する単式複写モード、または上記記録用紙の複数枚に対して複写する複式複写モードのいずれかを判別する複写モード判別手段と、
上記複写モード判別手段によって単式複写モードと判別された場合、多色表現方式での複写を始動させる一方、複式複写モードと判別された場合には、標準表現方式での複写を始動させる複写動作制御手段と
を有することを特徴とする画像複写装置。
【請求項２】
原稿用紙から読み取った画像を記録用紙に複写する際、主となる標準色よりも多くの色数を保有した多色材を用い、標準色よりも多くの色数で画像形成処理を行う多色表現方式、および標準色によって画像形成処理を行う標準表現方式での複写が可能とされた画像複写装置であって、
上記原稿用紙の１枚から読み取った画像について、上記記録用紙の１枚に対して複写する単式複写モード、または上記記録用紙の複数枚に対して複写する複式複写モードのいずれかを判別する複写モード判別手段と、
標準表現方式での複写を行うか、多色表現方式での複写を行うかを予め設定しておく表現方式設定手段と、
上記複写モード判別手段によって複式複写モードと判別された場合、上記表現方式設定手段の設定状況に関係なく、標準表現方式での複写を始動させる一方、単式複写モードと判別された場合、上記表現方式設定手段によって設定されている方式での複写を始動させる複写動作制御手段と
を有することを特徴とする画像複写装置。
【請求項３】
原稿用紙から読み取った画像を記録用紙に複写する際、主となる標準色よりも多くの色数を保有した多色材を用い、標準色よりも多くの色数で画像形成処理を行う多色表現方式、および標準色によって画像形成処理を行う標準表現方式での複写が可能とされた画像複写装置を制御するためのプログラムを記憶した記憶媒体であって、
上記原稿用紙の１枚から読み取った画像について、上記記録用紙の１枚に対して複写する単式複写モード、または上記記録用紙の複数枚に対して複写する複式複写モードのいずれかを判別するための設定モード判別プログラムと、
上記設定モード判別プログラムに基づいて単式複写モードと判別された場合、多色表現方式での複写を始動させる一方、複式複写モードと判別された場合には、標準表現方式での複写を始動させるための複写動作制御プログラムとを含むプログラムを記憶したことを特徴とする記憶媒体。
【発明の詳細な説明】
【０００１】
【発明の属する技術分野】
本発明は、原稿用紙から記録用紙へと画像を複写することができる、たとえばコピー機やファクシミリ装置などといった画像複写装置、およびその画像複写装置を制御するためのプログラムを記憶した記憶媒体に関する。
【０００２】
【従来の技術】
たとえば最近のファクシミリ装置には、本来のファクシミリ通信機能の他に、プリンタ機能やスキャナ機能などを有してパーソナルコンピュータの周辺入出力装置として利用されるものがある。そのような多機能化をさらに発展させたものとして、原稿用紙から読み取った画像を記録用紙に複写するといった複写機能を有するファクシミリ装置もある。この複写機能を有するファクシミリ装置では、一般的なコピー機と同様に、原稿用紙の１枚から読み取った画像を記録用紙の１枚に対して複写する単式複写モードに加え、記録用紙の複数枚に対して同一の画像を複写するといった複式複写モードも設定可能である。
【０００３】
複式複写モードには、一般的にスタックコピーと呼ばれる方式と、ソートコピーと呼ばれる方式とが用意されている。スタックコピーでは、たとえば原稿用紙がＡ，Ｂ，Ｃの３枚であり、コピー部数として３部の指定がなされた場合、原稿用紙Ａを読み取って、続けて３枚の記録用紙に原稿用紙Ａの画像を複写し、次に原稿用紙Ｂを読み取って、続けて３枚の記録用紙に原稿用紙Ｂの画像を複写する、というように、１枚分の原稿用紙の画像を読み取り、必要部数分の記録用紙に対しての複写が行われる。したがって、最低でも記録用紙１枚分の画像を記憶するためのメモリが必要とされる。また、ソートコピーでは、たとえば原稿用紙がＡ，Ｂ，Ｃの３枚であり、コピー部数として３部の指定がなされた場合、まず、原稿用紙Ａを読み取って１枚の記録用紙に複写し、その原稿用紙Ａの画像データを残したまま、原稿用紙Ｂを読み取って１枚の記録用紙に複写し、同様に原稿用紙Ｂの画像データを残したまま、原稿用紙Ｃの複写を行い、１部の複写を完了する。その後、残されている原稿用紙Ａ〜Ｃの画像データに基づいて、同様の順序で２部分の複写が行われる。したがって、原稿用紙の枚数分の画像を記憶するためのメモリが必要とされる。
【０００４】
一方、インクジェット方式のカラープリンタでは、ＣＭＹＫ４色を標準色としたインクを用いてカラー画像を形成するが、最近のものには、ＣＭＹＫ４色以外にライトシアン（ＬＣ）、ライトマゼンタ（ＬＭ）といった特殊インクを用いて色再現性を向上させたカラープリンタもある。このような特殊インクを用いたカラープリンタは、多機能化を図る上で上述の複写機能を有するファクシミリ装置にも採用されており、複写時においては、色数に応じた複写データがメモリに蓄えられつつ画像形成処理が行われるものとされている。
【０００５】
【発明が解決しようとする課題】
しかし、上記従来の特殊インクによるカラープリンタ機構を採用して複写機能を有するファクシミリ装置では、たとえば標準４色より多い６色による多色表現方式で複写する場合、画像形成処理においてメモリに蓄えられる複写データが標準４色の場合よりも大きなデータサイズとなり、複写時における動作態様によっては、メモリの全データ格納領域が複写データによって占有されてしまう。これは、最低でも１枚分の原稿用紙の画像データをメモリに記憶しておく必要がある複式複写モードにおいて特に問題となる。メモリにおいてこのような状態が発生すると、ファクシミリ装置全体を制御するＣＰＵなどは、要求された複写動作を安定的に行うことができず、装置全体の動作に支障をきたすという問題があった。このような問題に対する解決手段としては、メモリの容量を大きくするのが最も簡単であるが、それに伴ってコスト上昇を招くこととなり、コスト上の観点からも見直しが要請されていた。
【０００６】
本発明は、上記の点に鑑みて提案されたものであって、コストを抑えるべくメモリサイズを一定としつつも、そのようなメモリを介して要求された複写動作を安定的に行うことができる画像複写装置、およびその画像複写装置を制御するためのプログラムを記憶した記憶媒体を提供することを目的とする。
【０００７】
【課題を解決するための手段】
上記目的を達成するために、本発明の請求項１に記載の画像複写装置は、原稿用紙から読み取った画像を記録用紙に複写する際、主となる標準色よりも多くの色数を保有した多色材を用い、標準色よりも多くの色数で画像形成処理を行う多色表現方式、および標準色によって画像形成処理を行う標準表現方式での複写が可能とされた画像複写装置であって、上記原稿用紙の１枚から読み取った画像について、上記記録用紙の１枚に対して複写する単式複写モード、または上記記録用紙の複数枚に対して複写する複式複写モードのいずれかを判別する複写モード判別手段と、上記複写モード判別手段によって単式複写モードと判別された場合、多色表現方式での複写を始動させる一方、複式複写モードと判別された場合には、標準表現方式での複写を始動させる複写動作制御手段とを有することを特徴としている。
【０００８】
このような画像複写装置によれば、記録用紙１枚分の複写データを扱う単式複写モードでは、標準色とした標準データ量よりも多いデータ量を処理する多色表現方式での複写が始動される一方、複数枚分の複写データを扱う複式複写モードでは、上記標準データ量を処理する標準表現方式での複写が始動されるので、結局、上記各複写モード時において処理すべき複写データのデータ量がメモリ内に収まるべく適正化され、特に複式複写モードにおいては、標準表現方式により色数を抑えることで複写データをできる限り小サイズとし、複写データによるメモリの占有状態を可及的に回避することができ、コストを抑えるべくメモリサイズを一定としつつも、そのようなメモリを介して要求された各複写モードによる複写動作を安定的に行うことができる。
【０００９】
また、請求項２に記載の画像複写装置は、原稿用紙から読み取った画像を記録用紙に複写する際、主となる標準色よりも多くの色数を保有した多色材を用い、標準色よりも多くの色数で画像形成処理を行う多色表現方式、および標準色によって画像形成処理を行う標準表現方式での複写が可能とされた画像複写装置であって、上記原稿用紙の１枚から読み取った画像について、上記記録用紙の１枚に対して複写する単式複写モード、または上記記録用紙の複数枚に対して複写する複式複写モードのいずれかを判別する複写モード判別手段と、標準表現方式での複写を行うか、多色表現方式での複写を行うかを予め設定しておく表現方式設定手段と、上記複写モード判別手段によって複式複写モードと判別された場合、上記表現方式設定手段の設定状況に関係なく、標準表現方式での複写を始動させる一方、単式複写モードと判別された場合、上記表現方式設定手段によって設定されている方式での複写を始動させる複写動作制御手段とを有することを特徴としている。
【００１０】
このような画像複写装置によれば、通常時は表現方式設定手段により設定されている方式にしたがって複写が行われるため、ユーザの設定に応じた複写結果を得ることができ、また、複式複写モードにおいては、ユーザにより多色表現方式が設定されていても強制的に標準表現方式が選択されるため、複写データによるメモリの占有状態を回避することができ、複式複写モードによる複写動作を安定的に行うことができる。
【００１１】
【００１２】
【００１３】
【００１４】
【００１５】
【００１６】
【００１７】
【００１８】
【００１９】
【００２０】
【００２１】
本発明の請求項３に記載の記憶媒体は、原稿用紙から読み取った画像を記録用紙に複写する際、主となる標準色よりも多くの色数を保有した多色材を用い、標準色よりも多くの色数で画像形成処理を行う多色表現方式、および標準色によって画像形成処理を行う標準表現方式での複写が可能とされた画像複写装置を制御するためのプログラムを記憶した記憶媒体であって、上記原稿用紙の１枚から読み取った画像について、上記記録用紙の１枚に対して複写する単式複写モード、または上記記録用紙の複数枚に対して複写する複式複写モードのいずれかを判別するための設定モード判別プログラムと、上記設定モード判別プログラムに基づいて単式複写モードと判別された場合、多色表現方式での複写を始動させる一方、複式複写モードと判別された場合には、標準表現方式での複写を始動させるための複写動作制御プログラムとを含むプログラムを記憶したことを特徴としている。
【００２２】
このような記憶媒体によれば、記憶されたプログラムに基づいてＣＰＵを動作させることにより、請求項１に記載の画像複写装置の動作を実現することができる。
【００２３】
【００２４】
【００２５】
【００２６】
【００２７】
【発明の実施の形態】
以下、本発明の好ましい実施の形態について図面を参照して具体的に説明する。
【００２８】
本発明にかかる画像複写装置の一実施形態を示した回路ブロック図を図１に示す。なお、本実施形態においては、画像複写装置としてファクシミリ装置が適用されており、このファクシミリ装置は、パーソナルコンピュータ（以下、「ＰＣ」という）２０に接続して使用可能とされている。
【００２９】
図１に示すように、ファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、画像読み取り部１１、画像形成部１２、操作部１３、および表示部１４を具備して構成されている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線１５により相互に接続されている。バス線１５には、アドレスバス、データバス、および制御信号線が含まれる。ゲートアレイ７には、画像読み取り部１１、画像形成部１２、操作部１３、および表示部１４が接続されている。また、ゲートアレイ７には、外部のＰＣ２０が図示しない入出力ポートを介して接続されている。ＮＣＵ２には、公衆電話回線１６が接続されている。
【００３０】
ＣＰＵ１は、ファクシミリ装置全体を制御する。ＮＣＵ２は、公衆電話回線１６に接続されて網制御を行う。ＲＡＭ３は、充電電池などにより電源バックアップが施されており、ＣＰＵ１の作業領域や各種データの格納領域を提供する。モデム４は、ファクシミリデータの変調や復調などを行う。ＲＯＭ５は、各種のプログラムや設定値などのデータを記憶している。ＥＥＰＲＯＭ６は、各種のフラグや設定データなどを記憶する。ゲートアレイ７は、ＣＰＵ１の入出力インターフェースとして機能する。コーデック８は、ファクシミリデータの符号化や復号化を行う。ＤＭＡＣ９は、ＲＡＭ３へのデータの書き込みや読み出しを行う。
【００３１】
画像読み取り部１１は、光源やイメージセンサなどを備えており、原稿用紙から画像を読み取って画像信号を出力する。画像形成部１２は、たとえばインクジェット方式などのプリンタ機構を備えており、記録用紙上に画像を形成する。ここで、画像形成部１２のプリンタ機構においては、ＣＭＹＫ標準４色のインクを用いてカラー画像を形成する標準表現方式（以下、「スタンダードカラー方式」という）と、ＣＭＹＫ４色以外にライトシアン（ＬＣ）、ライトマゼンタ（ＬＭ）といった特殊インクを用いてカラー画像を形成する多色表現方式（以下、「ファインカラー方式」という）によるプリント動作が可能とされている。操作部１３は、キースイッチ群を備えており、ユーザの入力操作に応じた後述するコピーモードなどの入力信号を出力する。表示部１４は、文字や数字などの各種情報を表示するためのＬＣＤなどを備えている。
【００３２】
本発明の要点について簡単に説明すると、ファクシミリ装置は、本来の一般的なファクシミリ通信機能の他に、デジタル音声による留守番録音機能や予約した時刻に所望とする相手先にファクシミリ画像を送信するといったメモリタイマ送信機能を備えている。また、これらの機能とは別に、ファクシミリ装置は、ＰＣ２０からのプリントキューに基づいて画像を形成するプリンタ機能、同じくＰＣ２０からの読み取りキューに基づいて画像を読み取るスキャナ機能、さらには、スタンドアローンでの一使用形態として、原稿用紙から読み取った画像を記録用紙に複写する、いわゆる一般的なコピー機と同様の複写機能を有している。特に、複写機能においては、１枚の原稿用紙から読み取った画像を１枚の記録用紙に複写するといった単式複写モード（以下、「シングルコピーモード」という）、同じく１枚の原稿用紙から読み取った画像を複数枚の記録用紙に対して複写するといった複式複写モード（以下、「マルチコピーモード」という）をコピーモードとして設定可能とされている。なお、以下に説明するマルチコピーモードとは、Ｘ枚の原稿用紙に対してＹ部複写するといったスタックコピーやソートコピーの場合をいう。さらにまた、複写を行う際には、先述したように、主となる標準色（たとえばＣＭＹＫ４色）よりも多くの色数（たとえば特殊インクを加えた６色）を保有した多色材（インク）を用いることにより、スタンダードカラー方式あるいはファインカラー方式でのカラー画像の形成が可能とされている。そして、複写が行われる際に通常どちらのカラー方式を用いるかを、予めユーザ自身が設定できるように構成されており、その設定状況がＥＥＰＲＯＭ６内に格納されるようになっている。
【００３３】
以上のようなコピーモード、カラー方式に応じて複写が行われる際、ＣＰＵ１は、プリンタバッファメモリとして機能するＲＡＭ３に複写データを蓄えつつ画像形成処理を行う。この際、コピーモードとしてシングルコピーモードが設定されている場合、ＣＰＵ１は、１枚分の複写データをＲＡＭ３に蓄えつつファインカラー方式での複写を始動させるが、それに対し、マルチコピーモードが設定されている場合、ＣＰＵ１は、Ｙ部数のコピーにおいて最低限必要な原稿用紙１枚数分の複写データをＲＡＭ３に蓄えつつスタンダードカラー方式での複写を始動させる。また、マルチコピーモードが設定されている場合、ＣＰＵ１は、複写データの解像度を通常よりも低減させるとともに、その複写データに基づいてファインカラー方式での複写を始動させることもできる。さらに、ＣＰＵ１は、ＲＡＭ３においてデータが格納されていない空き領域分のメモリ残量を算出するとともに、算出したメモリ残量と所定値とを比較し、そのメモリ残量が所定値を下回る場合には、ファインカラー方式での複写を禁止しスタンダードカラー方式での複写を始動させる。このようにして複写時における動作態様がＣＰＵ１によって制御されることで、ＲＡＭ３の空き容量を十分に確保した上で複写データが取り扱われることとなる。
【００３４】
すなわち、ＣＰＵ１は、原稿用紙の１枚から読み取った画像について、記録用紙の１枚に対して複写する単式複写モード、または記録用紙の複数枚に対して複写する複式複写モードのいずれかを判別する設定モード判別手段と、設定モード判別手段によって単式複写モードと判別された場合、多色表現方式での複写を始動させる一方、複式複写モードと判別された場合には、標準表現方式での複写を始動させる複写動作制御手段とを実現している。
【００３５】
また、ＣＰＵ１は、設定モード判別手段によって複式複写モードと判別された場合、複写データの解像度を通常よりも低減させるとともに、その複写データに基づいて多色表現方式での複写を始動させる複写動作制御手段を実現している。
【００３６】
さらに、ＣＰＵ１は、メモリの未使用分となるメモリ残量を算出するメモリ残量算出手段と、メモリ残量算出手段によって算出されたメモリ残量と所定値とを比較するメモリ残量比較手段と、メモリ残量比較手段によってメモリ残量が所定値より少ないとの結果が得られた場合、多色表現方式での複写を禁止するとともに、標準表現方式での複写を可能とする複写動作制御手段とを実現している。
【００３７】
また、操作部１３、及びその操作部１３により設定された内容を記憶しておくＥＥＰＲＯＭ６は、標準表現方式での複写を行うか、多色表現方式での複写を行うかを予め設定しておく表現方式設定手段を実現している。
【００３８】
一方、ＲＯＭ５は、原稿用紙から読み取った画像を記録用紙に複写する際、複写データをメモリに蓄えつつ画像形成処理を行う一方、主となる標準色よりも多くの色数を保有した多色材を用い、標準色よりも多くの色数で画像形成処理を行う多色表現方式、および標準色によって画像形成処理を行う標準表現方式での複写が可能とされた画像複写装置を制御するためのプログラムを記憶した記憶媒体であって、上記原稿用紙の１枚から読み取った画像について、上記記録用紙の１枚に対して複写する単式複写モード、または上記記録用紙の複数枚に対して複写する複式複写モードのいずれかを判別するための設定モード判別プログラムと、上記設定モード判別プログラムに基づいて単式複写モードと判別された場合、多色表現方式での複写を始動させる一方、複式複写モードと判別された場合には、標準表現方式での複写を始動させるための複写動作制御プログラムとを含むプログラムを記憶した記憶媒体を実現している。
【００３９】
また、ＲＯＭ５は、上記設定モード判別プログラムに基づいて複式複写モードと判別された場合、上記複写データの解像度を通常よりも低減させるとともに、その複写データに基づいて多色表現方式での複写を始動させるための複写動作制御プログラムとを含むプログラムを記憶した記憶媒体を実現している。
【００４０】
さらに、ＲＯＭ５は、上記メモリの未使用分となるメモリ残量を算出するためのメモリ残量算出プログラムと、上記メモリ残量算出プログラムに基づいて算出されたメモリ残量と所定値とを比較するためのメモリ残量比較プログラムと、上記メモリ残量比較プログラムに基づいてメモリ残量が所定値より少ないとの結果が得られた場合、多色表現方式での複写を禁止するとともに、標準表現方式での複写を可能とするための複写動作制御プログラムとを含むプログラムを記憶した記憶媒体を実現している。
【００４１】
次に、上記構成を有するファクシミリ装置の動作について図面を参照して説明する。
【００４２】
複写時におけるファクシミリ装置の動作手順を示したフローチャートを図２〜図６に示す。
【００４３】
まず、第一実施形態について図２に基づいて説明する。ＣＰＵ１は、図示されない原稿検知センサ等により複写用の原稿がセットされたことが検知されると、コピーモードの変更や、複写部数などの各種の入力を受付け、ユーザによりスタートボタンが押下されるのを待つ（Ｓ１）。そして、スタートボタンが押下されると（Ｓ１：ＹＥＳ）、設定されているコピーモードが「マルチコピーモード」か否かを判断する（Ｓ２）。なお、マルチコピーモードにおいては、ユーザにより２以上の複写部数が設定されており、ここでいうマルチコピーモードとは、連続する原稿用紙に対して複数部数の複写を行う場合、つまり、Ｘ枚の原稿用紙に対してスタックコピーやソートコピーなどといったＹ部数の複写を行う場合をいい、特に以下の説明においては、ソートコピーを行う場合として説明する。
【００４４】
マルチコピーモードが設定されていた場合（Ｓ２：ＹＥＳ）、ＣＰＵ１は、画像読み取り処理を開始する（Ｓ３）。これにより、画像読み取り部１１においては、１枚の原稿用紙から画像が読み取られ、ＣＰＵ１は、そうして得られた読み取りデータに基づいて複写データを生成する。本実施形態では、マルチコピーモードが設定された場合は、後述するスタンダードカラー方式がカラー方式として自動的に選択されるため、このスタンダードカラー方式にて取り扱われる複写データを生成する。
【００４５】
ここで、ＣＰＵ１は、マルチコピーモードに対応したＹ部数の複写を行うために、セットされている原稿Ｘ枚数分の複写データを順次ＲＡＭ３の空き領域に蓄積させる（Ｓ４）。この際、複写データは、スタンダードカラー方式に応じた、たとえばＣＭＹＫ４色分のデータとして蓄積されることとなる。
【００４６】
そうして必要な複写データを蓄積しながらＣＰＵ１は、スタンダードカラー方式による画像形成処理を開始させる（Ｓ５）。これにより、画像形成部１２においては、記録用紙に対してたとえばＣＭＹＫ４色によるカラー画像が形成し始められることとなる。なお、この際、ＣＰＵ１は、複写部数のカウントも開始させる。
【００４７】
このような画像形成処理を開始した後、ＣＰＵ１は、次枚目の原稿用紙がセットされているか否かを検知し（Ｓ６）、次枚目の原稿用紙がセットされていない場合（Ｓ６：ＹＥＳ）、ＣＰＵ１は、複写部数となるＹ部数をカウントアップしたか否かを判断し（Ｓ７）、カウントアップしていれば（Ｓ７：ＹＥＳ）、ＲＡＭ３に蓄積した複写データを消去し（Ｓ８）、この複写処理に関するメインプログラムの実行を終了する。なお、複写データの消去は、設定された複写部数をカウントアップした時点で一括して行っても、不要となった複写データから順次消去を行ってもよい。
【００４８】
Ｓ７において、複写部数となるＹ部数がカウントアップされない場合（Ｓ７：ＮＯ）、ＣＰＵ１は、Ｓ５に戻って残りの部数について画像形成処理を続行する。
【００４９】
Ｓ６において、次枚目の原稿用紙がセットされている場合（Ｓ６：ＮＯ）、ＣＰＵ１は、Ｓ３に戻ってセットされている原稿用紙について画像読み取り処理を行う。
【００５０】
Ｓ２において、ユーザにより設定されたモードがシングルコピーモードである場合（Ｓ２：ＮＯ）、ＣＰＵ１は、上記Ｓ３と同様に画像読み取り処理を開始する（Ｓ９）。本実施形態では、シングルコピーモードが設定された場合は、後述するファインカラー方式がカラー方式として自動的に選択されるため、このファインカラー方式にて取り扱われる複写データを生成する。そして、ＣＰＵ１は、シングルコピーモードに対応した複写データを一時的にＲＡＭ３の空き領域に取り込む（Ｓ１０）。この際、複写データは、ファインカラー方式に応じた、たとえばＣＭＹＫ４色に特殊色を加えた６色分のデータとして取り込まれることとなる。
【００５１】
そうして複写データをＲＡＭ３に取り込みながらＣＰＵ１は、ファインカラー方式による画像形成処理を開始する（Ｓ１１）。これにより、原稿用紙の読み取りと同時に画像形成部１２においては、１枚の記録用紙に対してたとえばＣＭＹＫ４色に特殊色を加えた６色によるカラー画像が形成されることとなる。
【００５２】
その後、ＣＰＵ１は、Ｓ６と同様に次枚目の原稿用紙がセットされているか否かを検知し（Ｓ１２）、次枚目の原稿用紙がセットされていない場合（Ｓ１２：ＹＥＳ）、複写データの画像形成処理が終了したか否かを判断し（Ｓ１３）、終了していれば（Ｓ１３：ＹＥＳ）、ＲＡＭ３に取り込んだ複写データを消去して（Ｓ８）、この複写処理に関するメインプログラムの実行を終了する。なお、シングルコピーモードにおいては、一度画像形成部１２より画像が形成された複写データは不要となるため、不要となった複写データを順次ＲＡＭ３から消去させつつ、新たな複写データを取り込むことで、使用するＲＡＭ３の領域を最小限にすることができる。
【００５３】
Ｓ１３において、画像形成処理が終了してない場合（Ｓ１３：ＮＯ）、ＣＰＵ１は、Ｓ１１に戻って残りの複写データについて画像形成処理を続行する。
【００５４】
Ｓ１２において、次枚目の原稿用紙がセットされている場合（Ｓ１２：ＮＯ）、ＣＰＵ１は、Ｓ９に戻ってそれ以降の処理を繰り返し実行する。
【００５５】
このように第一実施形態のファクシミリ装置によれば、原稿用紙１枚分の複写データを記録用紙１枚に対してのみ画像形成するシングルコピーモードでは、たとえば標準となるＣＭＹＫ４色とした場合よりも多いデータ量を処理するファインカラー方式での複写が始動される。その一方、原稿用紙１枚分の複写データを複数部数の記録用紙に対して画像形成するマルチコピーモードでは、ＣＭＹＫ４色分のデータ量を処理するスタンダードカラー方式での複写が始動されることとなる。これにより、結局、上記各コピーモード時において処理すべき複写データのデータ量がＲＡＭ３内に収まるべく適正化され、特にマルチコピーモードにおいては、スタンダードカラー方式により色数を抑えることで複写データをできる限り小サイズとし、複写データによるＲＡＭ３の占有状態を可及的に回避することができる。その結果、コストを抑えるべくＲＡＭ３のメモリサイズを一定としつつも、そのようなＲＡＭ３を介して要求された各コピーモードによる複写動作を安定的に行うことができる。
【００５６】
なお、上記第一実施形態においては、Ｓ２においてシングルコピーモードが設定されたと判断した場合、Ｓ９以降に進み、自動的にファインカラー方式が選択されるように構成されているが、図２に示す複写処理を含む画像形成部１２を作動させる各種処理において、スタンダードカラー方式とファインカラー方式のどちらのカラー方式を優先的に使用するかを予めユーザ自身が設定しておくことも可能である。その場合は、図２の複写処理においても、通常はユーザが設定したカラー方式を用いて処理が行われることになるが、複写データによるＲＡＭ３の占有状態を回避するために、マルチコピーモードが設定され、かつファインカラー方式が設定されている場合は、強制的にスタンダードカラー方式に変更して複写処理を行い、それ以外のシングルコピーモードの場合は、ユーザの設定したカラー方式にしたがって複写処理を行うように構成してもよい。
この構成によれば、通常時はユーザにより設定されているカラー方式にしたがって複写が行われるため、ユーザの希望に応じた複写結果を得ることができ、また、マルチコピーモードにおいては、ユーザによりファインカラー方式が設定されていても強制的にスタンダードカラー方式が選択されるため、複写データによるメモリの占有状態を回避することができ、マルチコピーモードによる複写動作を安定的に行うことができる。
【００５７】
次に、第二実施形態について図３に基づいて説明する。本実施形態においては、複写処理の開始に先だって、初期設定により、スタンダードカラー方式、及びファインカラー方式のどちらのカラー方式を複写処理において優先させるかを操作部１３を用いてユーザに設定させ、その設定値がＥＥＰＲＯＭ６内に記憶されているものとする。
【００５８】
第一実施形態の場合と同様に、まずＣＰＵ１はユーザによりスタートボタンが押下されるのを待つ（Ｓ２１）。そして、スタートボタンが押下されると（Ｓ２１：ＹＥＳ）、設定されているコピーモードが「マルチコピーモード」か否かを判断する（Ｓ２２）。
【００５９】
マルチコピーモードが設定されていた場合（Ｓ２２：ＹＥＳ）、ＣＰＵ１は、さらに設定されているカラー方式が「ファインカラー方式」であるか否かを判断する（Ｓ２３）。そして、ファインカラー方式が設定されている場合は（Ｓ２３：ＹＥＳ）、Ｓ２４に進み、通常より低い解像度による画像読み取り処理を開始する。これにより、画像読み取り部１１においては、１枚の原稿用紙から低解像度に基づいて画像が読み取られ、ＣＰＵ１は、そうして得られた画質の粗い読み取りデータに基づいてファインカラー方式にて取り扱われる複写データを生成する。
【００６０】
そうしてファインカラー方式による複写データを生成したＣＰＵ１は、マルチコピーモードに対応したＹ部数の複写を行うために、原稿用紙Ｘ枚数分の複写データを順次ＲＡＭ３の空き領域に蓄積させる（Ｓ２５）。この際、複写データは、ファインカラー方式に応じた、たとえばＣＭＹＫ４色に特殊色などの２色を加えた６色分のデータとして蓄積されることとなり、この複写データを用いて、第一実施形態と同様に、設定された複写部数の複写処理が実行される（Ｓ２６〜Ｓ２９）。
【００６１】
Ｓ２３において、「ファインカラー方式」に設定されていない、すなわち「スタンダードカラー方式」に設定されていると判断された場合（Ｓ２３：ＮＯ）、通常の解像度による画像読み取り処理を開始する（Ｓ３０）。これにより、画像読み取り部１１においては、１枚の原稿用紙から通常の解像度に基づいて画像が読み取られ、ＣＰＵ１は、そうして得られた通常画質の読み取りデータに基づいてスタンダードカラー方式にて取り扱われる複写データを生成する。
【００６２】
そうしてスタンダードカラー方式による複写データを生成したＣＰＵ１は、マルチコピーモードに対応したＹ部数の複写を行うために、原稿用紙Ｘ枚数分の複写データを順次ＲＡＭ３の空き領域に蓄積させる（Ｓ３１）。この際、複写データは、スタンダードカラー方式に応じた、たとえばＣＭＹＫ４色分のデータとして蓄積されることとなり、この複写データを用いて、第一実施形態と同様に、設定された複写部数の複写処理が実行される（Ｓ３２〜Ｓ３４，Ｓ２９）。
【００６３】
Ｓ２２において、設定されているコピーモードが「マルチコピーモード」ではない場合（Ｓ２２：ＮＯ）、「シングルコピーモード」であると判断し、Ｓ３５に進み、シングルコピー処理を実行する。このシングルコピー処理において実行される処理は、第一実施形態において説明した図２のＳ９〜Ｓ１３，Ｓ８に相当し、Ｓ１１においては、予めＥＥＰＲＯＭ６内に記憶されているカラー方式が選択される。
【００６４】
このように、第二実施形態のファクシミリ装置によれば、マルチコピーモードでは、ファインカラー方式での複写が始動されるとしても、その複写データの解像度が通常よりも低減させられるので、マルチコピーモードかつファインカラー方式とした複写時であっても、解像度の低減によって複写データをできる限り小サイズとし、そのような複写データによるメモリの占有状態を可及的に回避することができ、コストを抑えるべくＲＡＭ３のメモリサイズを一定としつつも、そのようなＲＡＭ３を介して要求された多量のデータ処理を伴う複写動作を安定的に行うことができる。
【００６５】
また、ユーザにより設定されているカラー方式にしたがって複写が行われるため、ユーザの希望に応じた複写結果を得ることができ、また、マルチコピーモードにおいては、ユーザによりファインカラー方式が設定されている場合、複写データの解像度をスタンダードカラー方式の場合より自動的に低減させて複写を行うので、複写データによるメモリの占有状態を回避することができ、ユーザによるカラー方式の設定機能を維持しつつ、マルチコピーモードによる複写動作についても確実に行うことができる。
【００６６】
次に、第三実施形態について図４に基づいて説明する。第一実施形態の場合と同様に、まずＣＰＵ１はユーザによりスタートボタンが押下されるのを待つ（Ｓ４１）。そして、スタートボタンが押下されると（Ｓ４１：ＹＥＳ）、その時点で各種データを格納しているＲＡＭ３のメモリ残量を算出する（Ｓ４２）。ここで、メモリ残量とは、ＲＡＭ３におけるＣＰＵ１の作業用に確保した領域に加え、留守番録音機能やメモリタイマ送信機能に基づく音声データや画像データなどが格納された領域などの全使用領域を除いた未使用領域分のサイズをいう。
【００６７】
そうしてメモリ残量を算出したＣＰＵ１は、そのメモリ残量とあらかじめ定められた所定値とを比較する（Ｓ４３）。ここで、メモリ残量に対して比較基準値とされる所定値としては、後述するファインカラー方式での画像形成処理を行う際に最低限必要とされるメモリの空き容量に基づいて定められたしきい値であって、参考的にいうと、このしきい値そのものではないが、ファインカラー方式により画像形成処理を行う場合、複写データの格納領域として数百Ｋバイト程度の領域が必要とされる。
【００６８】
メモリ残量が所定値より大きい場合（Ｓ４３：ＹＥＳ）、ＣＰＵ１は、カラー方式としてファインカラー方式を選択し（Ｓ４４）、ファインカラー方式に応じた複写処理を実行する（Ｓ４６，Ｓ４７）。ここでは、設定されているコピーモードがシングルコピーモード、マルチコピーモードに関わらず、ファインカラー方式による複写処理を行い、処理内容については上記第一，第二実施形態において実行されている処理と同様であるため、その説明を省略する。
【００６９】
一方、メモリ残量が所定値より小さい場合（Ｓ４３：ＮＯ）、ＣＰＵ１は、カラー方式としてスタンダードカラー方式を選択し（Ｓ４５）、スタンダードカラー方式に応じた複写処理を実行する（Ｓ４６，Ｓ４７）。ここでも、設定されているコピーモードに関わらずスタンダードカラー方式による複写処理を行う。
【００７０】
このように、第三実施形態のファクシミリ装置によれば、メモリ残量が所定値と比較して少ない場合、ファインカラー方式での複写が行われることなくスタンダードカラー方式によって複写されるので、メモリ残量が少ないことで複写データを蓄えきれないような状況をできる限り回避することができ、コストを抑えるべくＲＡＭ３のメモリサイズを一定としつつも、そのようなＲＡＭ３を介して要求された複写動作を安定的に行うことができる。
【００７１】
なお、上記第三実施形態においては、Ｓ４３においてメモリ残量が少ないと判断された場合、Ｓ４５以降に進み、自動的にスタンダードカラー方式が選択されるように構成されているが、スタンダードカラー方式とファインカラー方式のどちらのカラー方式を優先的に使用するかを予めユーザ自身が設定しておくことが可能な場合は、例えば図５に示す動作が考えられる。
【００７２】
すなわち、スタートボタンの押下に基づいて（Ｓ５１：ＹＥＳ）、メモリ残量の算出を行い（Ｓ５２）、メモリ残量が所定値よりも大きい場合（Ｓ５３：ＹＥＳ）、設定されているコピーモードの種類に関わらずユーザにより設定されたカラー方式を選択し（Ｓ５６）、複写処理を行う（Ｓ５７，Ｓ５８）。一方、メモリ残量が所定値よりも小さい場合（Ｓ５３：ＮＯ）、さらに設定されているコピーモードが「シングルコピーモード」か否かを判断する（Ｓ５４）。そして、シングルコピーモードの場合は（Ｓ５４：ＹＥＳ）、使用するメモリが比較的少ないため、ユーザにより設定されたカラー方式に基づいて複写処理を行う（Ｓ５６〜Ｓ５８）。また、シングルコピーモードではなく、マルチコピーモードの場合は（Ｓ５４：ＮＯ）、メモリ残量が少ないことによる不具合を防ぐために、強制的にスタンダードカラー方式を選択し（Ｓ５５）、複写処理を行う（Ｓ５７，Ｓ５８）
このような構成によれば、メモリ残量が少ない場合のシングルコピーモード、あるいはメモリ残量が多い場合の複写においては、ユーザにより設定されている方式にしたがって複写が行われるため、ユーザの希望に応じた複写結果を得ることができ、また、メモリ残量が少ない場合のマルチコピーモードにおいては、ユーザによりファインカラー方式が設定されていても強制的にスタンダード方式が選択されるため、複写データによるメモリの占有状態を回避することができ、マルチコピーモードによる複写動作を安定的に行うことができる。
【００７３】
次に、第四実施形態について図６に基づいて説明する。この実施形態は上記の３つの実施形態の各ポイントを取り込んだものとなっている。
【００７４】
他の実施形態と同様に、まずＣＰＵ１はユーザによりスタートボタンが押下されるのを待つ（Ｓ６１）。そして、スタートボタンが押下されると（Ｓ６１：ＹＥＳ）、ＣＰＵ１は、ユーザにより設定されたコピーモードがマルチコピーモードであるか否かを判断する（Ｓ６２）。
【００７５】
マルチコピーモードが設定されている場合（Ｓ６２：ＹＥＳ）、続いてＣＰＵ１は、「画質優先」または「色調優先」のいずれがユーザによって選択されているかを判別する（Ｓ６３）。
【００７６】
「画質優先」が選択されていた場合（Ｓ６３：ＹＥＳ）、ＣＰＵ１は、通常解像度による画像読み取り処理を行う（Ｓ６４）。これにより、画像読み取り部１１においては、１枚の原稿用紙から通常解像度に基づいて画像が読み取られ、ＣＰＵ１は、そうして得られた読み取りデータに基づいてスタンダードカラー方式にて取り扱われる複写データを生成し、ＲＡＭ３の空き領域に蓄積させる（Ｓ６５）。この複写データを用いて、上記実施形態と同様に、設定された複写部数の複写処理がスタンダードカラー方式により実行される（Ｓ６６〜Ｓ６９）。
【００７７】
Ｓ６３において、「色調優先」が選択されていた場合（Ｓ６３：ＮＯ）、ＣＰＵ１は、通常より低い解像度による画像読み取り処理を行う（Ｓ７０）。これにより、画像読み取り部１１においては、１枚の原稿用紙から低解像度に基づいて画像が読み取られ、ＣＰＵ１は、そうして得られた画質の粗い読み取りデータに基づいてファインカラー方式にて取り扱われる複写データを生成し、ＲＡＭ３の空き領域に蓄積させる（Ｓ７１）。この複写データを用いて、上記実施形態と同様に、設定された複数部数の複写処理がファインカラー方式により実行される（Ｓ７２〜Ｓ７４，Ｓ６９）。
【００７８】
Ｓ６２において、ユーザにより設定されたコピーモードがマルチコピーモードではない場合（Ｓ６２：ＮＯ）、Ｓ７５に進み、シングルコピー処理を実行する。このシングルコピー処理において実行される処理は、第一実施形態において説明した図２のＳ９〜Ｓ１３に相当する。
【００７９】
このように、第四実施形態のファクシミリ装置によれば、マルチコピーモードでは、色数を抑えたスタンダードカラー方式によって複写を行うか、あるいは通常の解像度よりも低減させてファインカラー方式により複写を行うかのいずれか一方を任意に選択することができるので、複写を始める前にユーザが画質を優先させるのか、あるいは色調を優先させるのかを選択してマルチコピーモードの複写を行うことができ、また、いずれの方法であっても、複写データによるメモリの占有状態を回避することができ、マルチコピーモードによる複写動作を安定的に行うことができる。
【００８０】
なお、上記実施形態においては、スタンダードカラー方式とファインカラー方式といったカラーによる複写動作が切り替えられるように構成されているが、モノクロとカラーとで複写動作を切り替え可能な構成としても良い。
【００８１】
また、スタンダードカラー方式ではＣＭＹＫ４色、ファインカラー方式では特殊色を加えた６色による画像形成処理が行われるとして説明したが、これはあくまでも一例であって、色数に応じて切り替え可能な構成であれば勿論適用可能である。
【００８２】
【発明の効果】
以上説明したように、請求項１に記載した発明の画像複写装置によれば、記録用紙１枚分の複写データを扱う単式複写モードでは、標準色とした標準データ量よりも多いデータ量を処理する多色表現方式での複写が始動される一方、複数枚分の複写データを扱う複式複写モードでは、上記標準データ量を処理する標準表現方式での複写が始動されるので、結局、上記各複写モード時において処理すべき複写データのデータ量がメモリ内に収まるべく適正化され、特に複式複写モードにおいては、標準表現方式により色数を抑えることで複写データをできる限り小サイズとし、複写データによるメモリの占有状態を可及的に回避することができ、コストを抑えるべくメモリサイズを一定としつつも、そのようなメモリを介して要求された各複写モードによる複写動作を安定的に行うことができる。
【００８３】
また、請求項２に記載した発明の画像複写装置によれば、通常時は表現方式設定手段により設定されている方式にしたがって複写が行われるため、ユーザの設定に応じた複写結果を得ることができ、また、複式複写モードにおいては、ユーザにより多色表現方式が設定されていても強制的に標準表現方式が選択されるため、複写データによるメモリの占有状態を回避することができ、複式複写モードによる複写動作を安定的に行うことができる。
【００８４】
【００８５】
【００８６】
【００８７】
【００８８】
【００８９】
また、請求項３に記載した発明の画像複写装置によれば、記憶されたプログラムに基づいてＣＰＵを動作させることにより、請求項１に記載の画像複写装置の動作を実現することができる。
【００９０】
【００９１】
【図面の簡単な説明】
【図１】  本発明にかかる画像複写装置の一実施形態を示した回路ブロック図である。
【図２】  複写時におけるファクシミリ装置の動作手順を示したフローチャートである。
【図３】  複写時におけるファクシミリ装置の動作手順を示したフローチャートである。
【図４】  複写時におけるファクシミリ装置の動作手順を示したフローチャートである。
【図５】  複写時におけるファクシミリ装置の動作手順を示したフローチャートである。
【図６】  複写時におけるファクシミリ装置の動作手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１１  画像読み取り部
１２  画像形成部
１３  操作部
１４  表示部
１６  公衆電話回線
２０  パーソナルコンピュータ（ＰＣ）
【図１】
0004206583.tif 000002
【図２】
0004206583.tif 000003
【図３】
0004206583.tif 000004
【図４】
0004206583.tif 000005
【図５】
0004206583.tif 000006
【図６】
0004206583.tif 000007